(57)【要約】【課題】  無端回動刈り刃２１を採用するものでありながら、刈取り茎稈が無端回動刈り刃２１の上側をスムーズに移動することを構造簡単に可能にして刈取り処理することができるようにする。【解決手段】  無端回動チェーン２８のローラ２８ａよりも機体上方側に位置するリンクプレート２８ｃに刈り刃２１ａを一体成形してある。【選択図】        図５
2005312395.tif 000002
【特許請求の範囲】
【請求項１】
無端回動チェーン、及び、この無端回動チェーンに連結された刈り刃を備えて成る無端回動刈り刃を設けた刈取収穫機であって、
前記刈り刃と、前記無端回動チェーンのローラより機体上方側に位置するリンクプレートとを一体成形してある刈取収穫機。
【請求項２】
前記刈り刃と一体成形された前記リンクプレートがピンリンクプレートである請求項１記載の刈取収穫機。
【請求項３】
前記無端回動チェーンのローラを機体前後側から挟んで刈り刃の移動案内を行なうガイド部材を設けてある請求項１又は２記載の刈取収穫機。
【請求項４】
前記無端回動チェーンの前記刈り刃より機体下方側に位置する部位が収容される凹部を、固定刃用の支持部材に備えてある請求項１〜３のいずれか１項に記載の刈取収穫機。
【発明の詳細な説明】
【技術分野】
【０００１】
本発明は、無端回動チェーン、及び、この無端回動チェーンに連結された刈り刃を備えて成る無端回動刈り刃を設けた刈取収穫機に関する。
【背景技術】
【０００２】
上記刈取収穫機は、無端回動刈り刃が回動することにより、刈り刃が往復動するものに比して振動や騒音の発生を抑制しながら刈取り処理することができるものである。
この種の刈取収穫機として、従来、例えば特許文献１，２に示されるように、無端回動チェーンのローラより機体下方側に位置するリンクプレートに刈り刃を設けることにより、無端回動刈り刃を構成されたものがあった。
【０００３】
【特許文献１】特開平５−２９２８２２号公報（〔０００８〕欄、図３）
【０００４】
【特許文献２】特開２０００−２３５２９号公報（〔００２１〕欄、図９）
【発明の開示】
【発明が解決しようとする課題】
【０００５】
この種の刈取収穫機にあっては、無端回動刈り刃によって刈取り処理された刈取り茎稈を、無端回動刈り刃の上側を通してその機体後方側に移送するように構成するものである。
これにより、従来の無端回動刈り刃を採用した場合、リンクプレートのブラケットと刈り刃の間にスペーサを介装して、無端回動チェーンのローラより機体上方側に位置するリンクプレートと等しい又はそれに近い配置高さに刈り刃を位置させることにより、無端回動刈り刃の上側に段差ができないようにする。あるいは、無端回動刈り刃の上側にカバー兼用の搬送ガイドを設けて、刈り刃が機体下方側のリンクプレートに連結することによって刈り刃と機体上方側のリンクプレートの間にできる段差を解消するなどにより、刈取り茎稈が無端回動刈り刃の上側をスムーズに移動するようにする必要があった。
【０００６】
本発明の目的は、無端回動刈り刃を採用するものでありながら、刈取り茎稈が無端回動刈り刃の上側をスムーズに移動することを簡単な構造で可能にして刈取り処理することができる刈取収穫機を提供することにある。
【課題を解決するための手段】
【０００７】
本第１発明にあっては、無端回動チェーン、及び、この無端回動チェーンに連結された刈り刃を備えて成る無端回動刈り刃を設けた刈取収穫機において、前記刈り刃と、前記無端回動チェーンのローラより機体上方側に位置するリンクプレートとを一体成形してある。
【０００８】
すなわち、刈り刃と機体上方側のリンクプレートとを一体成形したものだから、冒頭に記した如きスペーサやカバーなどの段差解消対策を施さずに、無端回動刈り刃の上側に段差が無いとかほとんど無い状態を現出し、この状態で刈取り処理をすることができる。
【０００９】
従って、本第１発明によれば、無端回動刈り刃によって振動や騒音の発生を抑制することができるものでありながら、刈取り茎稈が無端回動刈り刃の上側をスムーズに移動して茎稈の詰まりや搬送不良が発生しにくい状態で刈取り処理をすることができ、しかも、特別な段差解消対策が不要な簡単な構造で済んで安価に得ることができる。さらに、刈り刃と機体上方側のリンクプレートとが一体部品になって抵抗になりにくく、この面からも刈取り茎稈をスムーズに移送することができる。
【００１０】
本第２発明にあっては、本第１発明の構成において、前記刈り刃と一体成形された前記リンクプレートがピンリンクプレートである。
【００１１】
すなわち、ピンリンクプレートはローラリンクプレートよりも機体上方側に位置するものであり、このピンリンクプレートと刈り刃とを一体成形したものであるから、無端回動刈り刃の上側に段差がなお一層できにくい状態を現出することができる。
【００１２】
従って、本第２発明によれば、刈取り茎稈が無端回動刈り刃の上側を一層スムーズに移動して茎稈の詰まりや搬送不良がより発生しにくい状態で刈取り処理をすることができた。
【００１３】
本第３発明にあっては、本第１又は第２発明の構成において、前記無端回動チェーンのローラを機体前後側から挟んで刈り刃の移動案内を行なうガイド部材を設けてある。
【００１４】
すなわち、ローラがガイド部材によって挟まれ、これによって刈り刃が移動案内されるものだから、刈り刃を固定刃から浮き上がりにくくしながら無端回動刈り刃を駆動することができる。
【００１５】
従って、本第３発明によれば、刈り刃が固定刃から浮き上がりにくくて切断性能のよい状態で刈取り処理を行なうことができる。
【００１６】
本第４発明にあっては、本第１〜３発明のいずれか１つの構成において、前記無端回動チェーンの前記刈り刃より機体下方側に位置する部位が収容される凹部を、固定刃用の支持部材に備えてある。
【００１７】
すなわち、無端回動チェーンの刈り刃より機体下方側に位置する部位が前記支持部材の凹部に入り込み、地面上の土塊などに接触しにくいように支持部材によって保護されるものである。
【００１８】
従って、本第４発明によれば、無端回動チェーンが土塊などに接触しにくくて耐久性の富んだ状態になり、しかも、支持部材を保護手段に利用して安価に得ることができる。
【発明を実施するための最良の形態】
【００１９】
以下、本発明の実施例を図面に基づいて説明する。
図１に示すように、クローラ走行装置１によって自走するように構成し、かつ、運転座席２ａが装備された搭乗型の運転部２、運転座席２ａの下方に配置されたエンジン（図示せず）を有した原動部を備えた自走機体の機体フレーム３の前部に、刈取り前処理装置１０の前処理フレーム１１の基端側を回動自在に連結するとともに前記前処理フレーム１１にリフトシリンダ４を連動させ、前記機体フレーム３の後側に脱穀装置５及び穀粒タンク６を設けて、稲・麦などを収穫するコンバインを構成してある。
【００２０】
すなわち、リフトシリンダ４を駆動操作すると、このリフトシリンダ４が前処理フレーム１１を自走機体に対して上下に揺動操作して刈取り前処理装置１０を分草具１２などが地面上近くに位置した下降作業状態と、分草具１２などが地面上から高く浮上した上昇非作業状態とに昇降操作するようになっている。刈取り前処理装置１０を下降作業状態にして自走機体を走行させると、刈取り前処理装置１０は、この刈取り前処理装置１０の前端部で機体横方向に並ぶ複数個の前記分草具１２によって植立穀稈を刈取り対象と非刈取り対象とに分草して刈取り対象の複数条の植立穀稈を対応する引起し経路１３（図３参照）に案内し、各引起し経路１３に導入された植立穀稈をその引起し経路１３に対応する引起し装置１４によって引起し処理しながら機体後方側に移送し、各引起し装置１４からの植立穀稈を刈取り部２０の無端回動刈り刃２１によって刈取り処理し、刈取穀稈を株元側に搬送作用する挟持搬送装置（図示せず）と、穂先側に搬送作用する係止搬送装置（図示せず）とで成る供給装置１５によって機体後方側に搬送して脱穀装置５の脱穀フィードチェーン５ａの始端部に供給する。脱穀装置５は、脱穀フィードチェーン５ａによって刈取穀稈の株元側を機体後方側に挟持搬送しながら、その穂先側を扱室（図示せず）に供給して脱穀処理する。穀粒タンク６は、脱穀装置５からの脱穀粒を回収して貯留していくようになっている。
【００２１】
前記刈取り部２０は、図３、５−８に示す如く構成してある。
すなわち、前記前処理フレーム１１を、前記機体フレーム３から機体前方向きに上下揺動自在に延出する伝動ケースに兼用の前処理メインフレーム１１ａ、この前処理メインフレーム１１ａの前端部に中間部が連結された機体横向きの伝動ケース１６、この横向き伝動ケース１６の両端部から機体前方向きに延出するサイド分草フレーム１７ａ、前記左右一対のサイド分草フレーム１７ａの基端部どうしにわたって連結された山形鋼で成る刈取りフレーム１８、この刈取りフレーム１８の機体横方向での複数箇所から機体前方向きに延出するセンター分草フレーム１７ｂなどを備えて構成し、刈取り部２０は、前記刈取りフレーム１８に連結されたメイン刈り刃フレーム３１を有した刈り刃フレーム３０、この刈り刃フレーム３０の固定刃支持部材３２に設けた受刃としての固定刃２２、前記メイン刈り刃フレーム３１の両端部の支持アーム部３１ａに機体上下向きの軸芯まわりで回動自在に設けたスプロケット２３ａ，２３ｂと、前記刈取りフレーム１８の一端部に設けたテンション部材２４が有するテンション輪体２４ａとにわたって巻回した無端回動刈り刃２１を備えて構成してある。
【００２２】
図３，５などに示すように、前記刈り刃フレーム３０は、前記刈取りフレーム１８の機体上下向きの縦辺部１８ａに機体上下向きの縦辺部３１ｂが連結ボルト３３によって脱着自在に連結された山形鋼で成る前記メイン刈り刃フレーム３１、このメイン刈り刃フレーム３１の機体前後向きの横辺部３１ｃの下面側にボルト連結された帯板形の後側ガイド部材３４、この後側ガイド部材３４の下面側の機体横方向での複数箇所に後端部が連結ボルト３５によって連結された前記固定刃支持部材３２を備えて構成してある。
【００２３】
図３，５などに示すように、固定刃２２は、帯板形の固定刃フレーム２２ａと、この固定刃フレーム２２ａの上面側に機体横方向に並べて載置して連結リベット２２ｂによって固定した複数枚の固定刃ピース２２ｃとによって構成してある。前記固定刃フレーム２２ａの両端部の連結部２２ｄを、前記サイド分草フレーム１７ａの前記刈取りフレーム１８が連結する部位の付近に連結ボルト２６によって脱着自在に連結し、前記固定刃フレーム２２ａの両端部間を、前記刈り刃フレーム１８の前記各固定刃支持部材３の前端部の上面側に載置して連結ボルト２７によって連結してある。これにより、固定刃２２は、刈り刃フレーム３０の固定刃支持部材３２に支持され、この刈り刃フレーム３０を介して刈取りフレーム１８に固定されていて、無端回動刈り刃２１と相対移動するようになっている。
【００２４】
図３，１１などに示すように、無端回動刈り刃２１は、前記一対のスプロケット２３ａ、２３ｂ、前記テンション部材２４のテンション輪体２４ａにわたって巻回した無端回動チェーン２８と、この無端回動チェーン２８のローラ２８ａより機体上方側に位置する各ローラリンクプレート２８ｂと各ピンリンクプレート２８ｃのうちのより機体上方側に位置する方の各ピンリンクプレート２８ｃに一体成形することにより、ピンリンクプレート２８ｃと一枚のプレート状の部品になった状態して各ピンリンクプレート２８ｃに連結した刈り刃２１ａとを備えて構成してある。
【００２５】
図５に示すように、無端回動刈り刃２１の無端回動チェーン２８は、このチェーン２８のローラ２８ａが前記後側ガイド部材３４と前記固定刃フレーム２２ａとによって機体前後側から挟まれる状態になるように後側ガイド部材３４及び固定刃フレーム２２ａに対して装着してある。
【００２６】
これにより、図３などに示すように、無端回動刈り刃２１は、刈取りフレーム１８の機体前方側に刈取り部２０の機体横幅方向の全幅にわたって位置するとともに前記固定刃２２及び前記後側ガイド部材３４が存在する刈取り側経路Ａと、刈取りフレーム１８の機体後方側に刈取り部２０の機体横幅方向の全幅にわたって位置するとともにテンション部材２４が位置する戻り側経路Ｂとを循環して回動するようになっている。また、図５に示すように、無端回動刈り刃２１のローラ２８ａが前記後側ガイド部材３４と固定刃フレーム２２ａとによって機体前後側から挟まれて固定刃フレーム２２ａが前側ガイド部材となり、この固定刃フレーム２２ａと後側ガイド部材３４とがローラ２８ａに対して移動案内することにより、かつ、後側ガイド部材３４の上面側の機体横方向での複数箇所にスペーサ４０及び連結ボルト３９を介して連結されたクリップ４１によって支持される帯板形の押え板４２が無端回動刈り刃２１の前記各刈り刃２１ａを固定刃２２の固定刃ピース２２ｃの上面側に押圧操作することにより、刈取り側経路Ａにおいて、無体回動刈り刃２１の刈り刃２１ａが固定刃ピース２２ｃの上面側に精度よく接触した状態でその上面側を移動していくようになっている。
【００２７】
前記各固定刃支持部材３２の機体前後方向での中間部に機体上方向き及び機体横方向きに開口する凹部３２ａを設けるとともに、この凹部３２ａは、無端回動刈り刃２１の無端回動チェーン２８の刈り刃２１ａより機体下方側に位置する部位を収容して、固定刃支持部材３２が刈取り側経路Ａを移動する無端回動チェーン２８に対するプロテクタ部材になるようにしている。
【００２８】
図６，１１に示すように、テンション部材２４は、刈取りフレーム１８の横辺部１８ｂの下面側に固定された機体上下向きの支軸２９に連結筒部２４ｂが回動自在に連結されて、刈取りフレーム１８によって揺動自在に支持されているテンションアームによって構成してある。テンション部材２４の基端側にテンションスプリング４３を作用させるとともに、テンション部材２４の遊端側に無端回動刈り刃２１の無端回動チェーン２８のループ内に位置するように配置した前記テンション輪体２４ａを備えてある。これにより、テンション部材２４は、テンションスプリング４３による付勢力と、テンション輪体２４ａとによって無端回動刈り刃２１をこれのループ外側に張り出し操作して無端回動刈り刃２１の無端回動チェーン２８に緊張力を付与するようになっている。
【００２９】
図３，８，９，１０に示すように、前記一対のスプロケット２３ａ，２３ｂのうち運転部２に対して遠い方に位置し、かつ、前記テンション部材２４が位置する側とは反対側の刈り刃フレーム端部に位置する方のスプロケット２３ｂの回転支軸２３ｃの上端側に入力スプロケット４４を一体回動自在に設け、この入力スプロケット４４と、前記伝動ケース１６の端部に位置する出力スプロケット４５とにわたって伝動チェーン４６を巻回するとともに、前記伝動ケース１６に一端側が支持された帯鋼板で成るテンション部材４７によって伝動チェーン４６に伝動用の緊張力を付与するように構成して、無端回動刈り刃２１のための駆動機構４８を構成してある。
【００３０】
すなわち、駆動機構４８は、自走機体の原動部から前処理フレーム１１の前処理メインフレーム１１ａの基端部に伝達され、前処理メインフレーム１１ａ及び伝動ケース１６によって出力スプロケット４５に伝達されたエンジン駆動力を伝動チェーン４６によって入力スプロケット４４に伝達してスプロケット２３ｂを図３，１０に示す回動方向Ｃに駆動し、無端回動刈り刃２１が刈取り側経路Ａを前記各スプロケット２３ａ，２３ｂ、固定刃ピース２２ｃ、後側ガイド部材３４に沿って図３などに示す移動方向Ｆに移動する状態に無端回動刈り刃２１を回動駆動するようになっている。
【００３１】
つまり、刈取り部２０は、無端回動刈り刃２１をテンション部材２４によって駆動可能な緊張状態に維持しながら駆動機構４８によるスプロケット２３ｂの駆動によって刈取り側経路Ａと戻り側経路Ｂとを循環するように回動駆動する。すなわち、無端回動刈り刃２１が刈取り側経路Ａを固定刃フレーム２２ａ及び後側連結ガイド部材３４によって移動案内されながら、かつ、無端回動刈り刃２１の無端回動チェーン２８を地面上の隆起部などに接触しにくいように固定刃支持部材３２によって保護されながら運転部２に近い側から遠い側に向けて移動し、刈取り側経路Ａの運転部側とは反対側の端部に至ると、スプロケット２３ｂに沿って回動して戻り側経路Ｂに入り、この戻り側経路Ｂを運転部２に遠い側から近い側に向けて移動し、戻り側経路Ｂの運転部側の端部に至ると、スプロケット２３ａに沿って回動して刈取り側経路Ａに入るように回動駆動する。そして、刈取り側経路Ａを移動する無端回動刈り刃２１の刈り刃２１ａと、刈取り側経路Ａに固定された固定刃２２の固定刃ピース２２ｃとによって引起し装置１４からの植立穀稈を刈取り処理し、刈取穀稈を刈取り側経路Ａの上方を通して機体後方側に移動させて前記供給装置１５に供給するようになっている。
【００３２】
図１２は、別の実施形態を備えた刈取り部２０を示し、この刈取り部２０にあっては、無端回動刈り刃２１及び固定刃２２を前記刈り刃フレーム３０の刈り刃メインフレーム３１に支持させる他、テンション部材２４をスプロケット２３ａの支軸に相対回動自在に支持させることにより、テンション部材２４も刈り刃フレーム３０のメイン刈り刃フレーム３１に揺動自在に支持させてある。
【００３３】
すなわち、刈り刃フレーム３０を刈取りフレーム１８に対して前記連結ボルト３３（図５参照）によって脱着自在に連結するようになっており、刈り刃フレーム３０、無端回動刈り刃２１、固定刃２２、テンション部材２４を一つの刈り刃ユニットにして機体側に脱着することができるようになっている。
さらに詳述すると、固定刃フレーム２２ａのサイド分草フレーム１７ａに対する連結が解除された状態にし、かつ、入力スプロケット４４を伝動チェーン４６が外れた状態にすれば、刈り刃フレーム３０のメイン刈り刃フレーム３１を刈取りフレーム１８から取り外すことにより、無端回動刈り刃２１も、固定刃２２も、テンション部材２４も刈り刃フレーム３０と共に機体側から取り外すことができるようになっている。
【００３４】
〔別実施形態〕
稲や麦を収穫対象とする他、大豆、ひまわりなど各種の作物を収穫対象とする作業機にも本発明は適用できる。従って、これらコンバインや作業機を総称して刈取収穫機と呼称する。
【図面の簡単な説明】
【００３５】
【図１】コンバイン全体の側面図
【図２】刈取り前処理装置の平面図
【図３】刈取り部の平面図
【図４】刈取り部の構成部品を示す分解図面
【図５】刈取り部の縦断側面図
【図６】テンション部材の断面図
【図７】刈取り部の運転部側端部での縦断側面図
【図８】刈取り部の運転部側とは反対側の端部での縦断側面図
【図９】駆動機構の側面図
【図１０】駆動機構の平面図
【図１１】刈取り部の運転部側端部での平面図
【符号の説明】
【００３６】
２１          無端回動刈り刃
２１ａ        刈り刃
２２ａ，３４        ガイド部材
２８        無端回動チェーン
２８ａ      ローラ
２８ｃ      リンクプレート
３２        固定刃用支持部材
３２ａ      凹部
【図１】
2005312395.tif 000003
【図２】
2005312395.tif 000004
【図３】
2005312395.tif 000005
【図４】
2005312395.tif 000006
【図５】
2005312395.tif 000007
【図６】
2005312395.tif 000008
【図７】
2005312395.tif 000009
【図８】
2005312395.tif 000010
【図９】
2005312395.tif 000011
【図１０】
2005312395.tif 000012
【図１１】
2005312395.tif 000013